【手続補正書】
【提出日】平成28年10月6日(2016.10.6)
【手続補正１】
【補正対象書類名】特許請求の範囲
【補正対象項目名】全文
【補正方法】変更
【補正の内容】
【特許請求の範囲】
【請求項１】
便器を洗浄して汚物を排出する水洗大便器であって、
便器本体の後方上面に設置され、排水口を開閉することにより上記便器本体へ洗浄水を
供給する貯水タンクと、
ボウル形状の汚物受け面と、上縁部に形成されその内周面がオーバーハング形状又は略
鉛直方向に立ち上がるように形成されたリム部と、を備えたボウル部と、このボウル部の
下方にその入口が接続され汚物を排出する排水路と、上記リム部の内周面に洗浄水を吐水
して旋回流を形成するリム吐水部と、上記貯水タンクに貯水された洗浄水を上記リム吐水
部へ導くリム導水路と、を備えた上記便器本体と、を有し、
上記リム導水路は、上記貯水タンクの排水口と接続し下方へと延びる下向導水路と、この下向導水路と繋がる屈曲導水路と、この屈曲導水路と繋がり横方向へ延び上記リム吐水部と連通する横向導水路とから構成され、
上記横向導水路には、上記リム吐水部の出口の合計断面積よりも小さい通水断面積を有
する縮径部が形成されていることを特徴とする水洗大便器。
【請求項２】
上記縮径部は、上記屈曲導水路と連接する側の上記横向導水路の上面を下方へ位置させ
ることにより通水断面積を縮径するように構成されていることを特徴とする請求項１記載
の水洗大便器。
【請求項３】
上記縮径部は、上記屈曲導水路と連接する上記横向導水路の入口から洗浄水の流れ方向
に所定距離の長さにわたって延びる流路であり、この長さが１０ｍｍ〜１００ｍｍである
ことを特徴とする請求項２記載の水洗大便器。
【請求項４】
上記縮径部は、鉛直方向の通水断面形状が横方向に長い扁平形状で形成されていること
を特徴とする請求項２又は３記載の水洗大便器。
【請求項５】
上記下向導水路の前方側の側面は、洗浄水の流れ方向に向かって前方へ徐々に傾斜して
いることを特徴とする請求項４記載の水洗大便器。
【請求項６】
便器を洗浄して汚物を排出する水洗大便器であって、
便器本体の後方上面に設置され、排水口を開閉することにより上記便器本体へ洗浄水を
供給する貯水タンクと、
ボウル形状の汚物受け面と、上縁部に形成されその内周面がオーバーハング形状又は略
鉛直方向に立ち上がるように形成されたリム部と、を備えたボウル部と、このボウル部の
下方にその入口が接続され汚物を排出する排水路と、上記リム部の内周面に洗浄水を吐水
して旋回流を形成するリム吐水部と、上記貯水タンクに貯水された洗浄水を上記リム吐水
部へ導くリム導水路と、上記ボウル部の下方に位置するゼット吐水部と、上記貯水タンク
に貯水された洗浄水を上記ゼット吐水部へ導くゼット導水路と、を備えた上記便器本体と、を有し、
上記リム導水路は、上記貯水タンクの排水口と接続し下方へと延びる下向導水路と、この下向導水路と繋がる屈曲導水路と、この屈曲導水路と繋がり横方向へ延び上記リム吐水部及び上記ゼット吐水部と連通する横向導水路とから構成され、
上記横向導水路には、上記リム吐水部及び上記ゼット吐水部の出口の合計断面積よりも
小さい通水断面積を有する縮径部が形成されていることを特徴とする水洗大便器。
【手続補正２】
【補正対象書類名】明細書
【補正対象項目名】０００７
【補正方法】変更
【補正の内容】
【０００７】
上記の目的を達成するために、本発明は、便器を洗浄して汚物を排出する水洗大便器で
あって、便器本体の後方上面に設置され、排水口を開閉することにより便器本体へ洗浄水
を供給する貯水タンクと、ボウル形状の汚物受け面と、上縁部に形成されその内周面がオ
ーバーハング形状又は略鉛直方向に立ち上がるように形成されたリム部と、を備えたボウ
ル部と、このボウル部の下方にその入口が接続され汚物を排出する排水路と、リム部の内
周面に洗浄水を吐水して旋回流を形成するリム吐水部と、貯水タンクに貯水された洗浄水
をリム吐水部へ導くリム導水路と、を備えた便器本体と、を有し、リム導水路は、貯水タンクの排水口と接続し下方へと延びる下向導水路と、この下向導水路と繋がる屈曲導水路と、この屈曲導水路と繋がり横方向へ延び吐水部と連通する横向導水路とから構成され、横向導水路には、リム吐水部の出口の合計断面積よりも小さい通水断面積を有する縮径部が形成されていることを特徴としている。
このように構成された本発明においては、貯水タンクの給水流量が大きいほど導水路の
通水断面積が小さくなるように縮径部が横向導水路に設けられることにより、便器本体が
求める給水流量より大きい不適合の給水流量を生じさせる貯水タンクが便器本体に取付け
られた場合でも、各吐水口から出てくる洗浄水の分配比や洗浄水の流速を変化させること
なく、便器洗浄のための適切な給水流量の洗浄水をボウル部へ供給することができる。
よって、ボウル部のリム部の内周面がオーバーハング形状又は略鉛直方向に立ち上がるように形成されている便器において、リム吐水部から吐水される洗浄水の給水流量が増大されることにより、リム部を旋回する洗浄水がリム部を越えて便器外に溢れ出すことを防止することができる。
また、便器本体が求める給水流量より小さい不適合の給水流量を生じさせる貯水タンクが便器本体に取り付けられた場合でも、各吐水口から出てくる洗浄水の分配比や洗浄水の流速を変化させることなく、便器洗浄のための適切な給水流量の洗浄水をボウル部へ供給することができる。
よって、リム吐水部から吐水される洗浄水の給水流量が減少されることにより、リム部を旋回する洗浄水の勢いが弱くなり、ボウル部内を十分に洗浄できなくなることを防止することができる。
【手続補正３】
【補正対象書類名】明細書
【補正対象項目名】００１２
【補正方法】変更
【補正の内容】
【００１２】
上記の目的を達成するために、本発明は、便器を洗浄して汚物を排出する水洗大便器で
あって、便器本体の後方上面に設置され、排水口を開閉することにより便器本体へ洗浄水
を供給する貯水タンクと、ボウル形状の汚物受け面と、上縁部に形成されその内周面がオ
ーバーハング形状又は略鉛直方向に立ち上がるように形成されたリム部と、を備えたボウ
ル部と、このボウル部の下方にその入口が接続され汚物を排出する排水路と、リム部の内
周面に洗浄水を吐水して旋回流を形成するリム吐水部と、貯水タンクに貯水された洗浄水
を上記リム吐水部へ導くリム導水路と、ボウル部の下方に位置するゼット吐水部と、貯水
タンクに貯水された洗浄水をゼット吐水部へ導くゼット導水路と、を備えた便器本体と、
を有し、リム導水路は、貯水タンクの排水口と接続し下方へと延びる下向導水路と、この下向導水路と繋がる屈曲導水路と、この屈曲導水路と繋がり横方向へ延びリム吐水部及びゼット吐水部と連通する横向導水路とから構成され、横向導水路には、リム吐水部及びゼット吐水部の出口の合計断面積よりも小さい通水断面積を有する縮径部が形成されている。
このように構成された本発明においては、貯水タンクの給水流量が大きいほど導水路の
通水断面積が小さくなるように縮径部が横向導水路に設けられることにより、便器本体が
求める給水流量より大きい不適合の給水流量を生じさせる貯水タンクが便器本体に取付け
られた場合でも、各吐水口から出てくる洗浄水の分配比や洗浄水の流速を変化させること
なく、便器洗浄のための適切な給水流量の洗浄水をボウル部へ供給することができる。
よって、ボウル部のリム部の内周面がオーバーハング形状又は略鉛直方向に立ち上がるように形成されている便器において、リム吐水部から吐水される洗浄水の給水流量が増大されることにより、リム部を旋回する洗浄水がリム部を越えて便器外に溢れ出すことを防止することができる。
また、便器本体が求める給水流量より小さい不適合の給水流量を生じさせる貯水タンクが便器本体に取り付けられた場合でも、各吐水口から出てくる洗浄水の分配比や洗浄水の流速を変化させることなく、便器洗浄のための適切な給水流量の洗浄水をボウル部へ供給することができる。
よって、リム吐水部から吐水される洗浄水の給水流量が減少されることにより、リム部を旋回する洗浄水の勢いが弱くなり、ボウル部内を十分に洗浄できなくなることを防止することができる。